(57)【要約】【課題】  手足の形状にフィットする指股付編地およびその編成方法を提供する。【解決手段】  各指股７ａ〜７ｄには、（ａ）に示すように、掌側のみに、伏目による襠８ａ〜８ｄがそれぞれ形成される。伏目による襠８ａ〜８ｄに続いて、引返し編成による襠９ａ〜９ｄがそれぞれ形成される。襠を伏目だけで形成すると、編目の消費が多くなって幅方向が狭くなり、胴部の編幅が不足するけれども、引返し編成による襠９ａ〜９ｄを設けて、襠を厚くしても胴部の編幅が不足しないようにして、手足の形状にフィットさせることができる。【選択図】  図１
2008115475.tif 000002
【特許請求の範囲】
【請求項１】
少なくとも一対の対向する針床を備える横編機で、一方の針床に属させる掌側と他方の針床に属させる甲側とを有する筒状編地として、複数の指袋と、隣接する複数の指袋が接合される胴部とがそれぞれ周回編成で形成され、隣接する指袋または胴部の筒状編地の付け根間の接合で指股が形成される指股付編地において、
隣接する筒状編地の付け根間で、各筒状編地の掌側の編目同士が境界から順次接合されて形成される伏目による襠と、
伏目による襠に続いて、隣接する筒状編地の付け根の掌側の編目列の編目間に形成される引返し編成による襠とを、
含むことを特徴とする指股付編地。
【請求項２】
前記伏目による襠は、前記筒状編地の内側に形成されていることを特徴とする請求項１記載の指股付編地。
【請求項３】
前記隣接する筒状編地間の指股には、前記甲側の編目列の編目間に形成される引返し編成による襠を含むことを特徴とする請求項１または２記載の指股付編地。
【請求項４】
前記指袋または前記胴部のうちの少なくとも一つでは、前記甲側の編目列の編目数が前記掌側の編目列の編目数よりも多いことを特徴とする請求項１〜３のいずれか一つに記載の指股付編地。
【請求項５】
前記指股付編地は、手袋または靴下であることを特徴とする請求項１〜４のいずれか１つに記載の指股付編地。
【請求項６】
少なくとも一対の対向する針床を備える横編機で、一方の針床に属させる掌側と他方の針床に属させる甲側とを有する筒状編地として、複数の指袋と、隣接する複数の指袋が接合される胴部とをそれぞれ周回編成して形成し、隣接する指袋または胴部の筒状編地の付け根間の接合で指股を形成する指股付編地の編成方法において、
隣接する筒状編地の付け根間で、各筒状編地の掌側の編目同士を境界から伏目によって順次接合して、伏目による襠を形成し、
各筒状編地の掌側の編目列の編目間で、伏目による襠に続いて引返し編成による襠を形成することを特徴とする指股付編地の編成方法。
【請求項７】
前記伏目による襠は、
隣接する筒状編地の一方の端部の編目を前記他方の針床に退避させて空けた編針に、隣接する筒状編地の他方の端部の編目を移し、
移した編目に退避させた編目を重ねて重ね目を形成し、
重ね目をニットした編目に対する伏目処理で形成することを特徴とする請求項６記載の指股付編地の編成方法。
【発明の詳細な説明】
【技術分野】
【０００１】
本発明は、横編機で筒状に編成する手袋や靴下などで、複数の指袋と指袋間の指股を有する指股付編地およびその編成方法に関する。
【背景技術】
【０００２】
従来から、複数の指袋を設ける手袋や靴下を編成するために、前後に対向して設けた針床を有する手袋編機や靴下編機が用いられている（たとえば、特許文献１、２参照。）。これらの手袋編機や靴下編機は、カミソリと呼ばれる抑止杆を備えている。隣接する指袋間の付け根となる指股は、指袋を順次編成する途中でカミソリを作用させて形成する。すなわち、先に編成された指袋の編目のうち、次に編成する指袋に近い側の２〜３目をカミソリによって抑えて編針に係止させた状態にして、この編目が係止された編針を次の指袋の編成にも使用して次の指袋の編成を行う。このように、指袋の付け根同士を部分的に重ねる股重ね編成を施して指股部を形成する。
【０００３】
手袋などの指股付編地は、少なくとも前後一対の対向する針床を有し、対向する針床間で編目の位置を相対的にずらすラッキング、および針床間で編目の目移しが可能な横編機でも編成可能である（たとえば、特許文献３参照。）。特許文献３では、親指の付け根を掌側に設け、実際の手の形状に合った三次元的な形状を有する手袋を編成する。このため、小指、薬指、中指、人差指が挿入される四本胴の編成を行い、四本胴と親指の指袋を接合する前に、編針に係止されている四本胴の編目を、空針への目移しと針床のラッキング動作により、四本胴を親指の指袋の編目が係止される編針に向って回すように回し動作を行った後、四本胴と親指の接合を行う。
【０００４】
特許文献３では、掌側を前針床で編成し、甲側を後針床で編成する。また、四本胴の編成の前に、小指を除く三本胴を編成する。小指、薬指、中指および人差指の４本の指袋を編成すると、各指袋の前針床側編地と後針床側編地は、隣合う編地の端部が１針分空くように編針に係止しておく。指袋間で空いている前後の針床の編針に増し目をしながら、人差指、中指、薬指の順に後針床側編地を１コース連続編成することにより、襠を有する指股が各指袋間に編成される。
【０００５】
本件出願人は、前後に少なくとも一対の針床が対向し、針床間のラッキングおよび目移しが可能な横編機を使用し、指袋間の指股を、伏目処理で形成する筒状編地の編成方法も提案している（たとえば特許文献４参照。）。隣接する指袋の前針床側編地同士と後ろ針床側編地同士とをそれぞれ重ね目した後で伏目処理を行うことによって、指股には襠が形成される。隣接する指袋を、前針床側編地と後針床側編地の編幅が異なるように編成し、重ね目する編目数を、前後の編地で異なるようにして、前後の襠の長さも異なるようにすることで、指袋や指股の形状を人体形状に合わせることができる。
【特許文献１】特開２０００−２２００６４号公報
【特許文献２】特開２０００−２３９９５０号公報
【特許文献３】国際公開第０４／０２０７１９号パンフレット
【特許文献４】国際公開第０６／１０９７８２号パンフレット
【発明の開示】
【発明が解決しようとする課題】
【０００６】
特許文献１や特許文献２に開示されているような手袋や靴下では、前後の針床で編成する編地間の厚み方向に膨らむような筒状編地を編成することはできない。特許文献３に開示されている編成方法では、指股の部分に襠が形成されるけれども、充分な厚さを得ることはできない。
【０００７】
特許文献４として提案している編成方法では、伏目での指股形成のために、胴部分の編目が減少して編幅が狭くなる。指股を厚くすると、伏目で消費される編目数が多くなり、四本胴や三本胴を形成する編目数が大幅に減少してしまい、手足の形状にフィットしにくくなってしまう。
【０００８】
本発明の目的は、手足の形状にフィットする指股付編地およびその編成方法を提供することである。
【課題を解決するための手段】
【０００９】
本発明は、少なくとも一対の対向する針床を備える横編機で、一方の針床に属させる掌側と他方の針床に属させる甲側とを有する筒状編地として、複数の指袋と、隣接する複数の指袋が接合される胴部とがそれぞれ周回編成で形成され、隣接する指袋または胴部の筒状編地の付け根間の接合で指股が形成される指股付編地において、
隣接する筒状編地の付け根間で、各筒状編地の掌側の編目同士が境界から順次接合されて形成される伏目による襠と、
伏目による襠に続いて、隣接する筒状編地の付け根の掌側の編目列の編目間に形成される引返し編成による襠とを、
含むことを特徴とする指股付編地である。
【００１０】
また本発明で、前記伏目による襠は、前記筒状編地の内側に形成されていることを特徴とする。
【００１１】
また本発明で、前記隣接する筒状編地間の指股には、前記甲側の編目列の編目間に形成される引返し編成による襠を含むことを特徴とする。
【００１２】
また本発明で、前記指袋または前記胴部のうちの少なくとも一つでは、前記甲側の編目列の編目数が前記掌側の編目列の編目数よりも多いことを特徴とする。
【００１３】
また本発明で、前記指股付編地は、手袋または靴下であることを特徴とする。
【００１４】
さらに本発明は、少なくとも一対の対向する針床を備える横編機で、一方の針床に属させる掌側と他方の針床に属させる甲側とを有する筒状編地として、複数の指袋と、隣接する複数の指袋が接合される胴部とをそれぞれ周回編成して形成し、隣接する指袋または胴部の筒状編地の付け根間の接合で指股を形成する指股付編地の編成方法において、
隣接する筒状編地の付け根間で、各筒状編地の掌側の編目同士を境界から伏目によって順次接合して、伏目による襠を形成し、
各筒状編地の掌側の編目列の編目間で、伏目による襠に続いて引返し編成による襠を形成することを特徴とする指股付編地の編成方法である。
【００１５】
また本発明で、前記伏目による襠は、
前記伏目による襠は、
隣接する筒状編地の一方の端部の編目を前記他方の針床に退避させて空けた編針に、隣接する筒状編地の他方の端部の編目を移し、
移した編目に退避させた編目を重ねて重ね目を形成し、
重ね目をニットした編目に対する伏目処理で形成することを特徴とする。  
【発明の効果】
【００１６】
本発明によれば、隣接する指袋または胴部の筒状編地の付け根を接合するように形成される指股は、各筒状編地の掌側の編目同士が境界から順次接合されて形成される伏目による襠と、伏目による襠に続いて、掌側の編目列の編目間に形成される引返し編成による襠とを含む。伏目による襠とともに、引返し編成による襠の編成で、伏目での消費による胴部の編目数の減少が抑制され、胴部の編幅が不足しないようにして、フィット性を良好にすることができる。引返し編成による襠も形成されるので、伸縮性の向上も図ることができる。
【００１７】
また本発明によれば、伏目による襠は、筒状編地の内側に形成されているので、指股付編地の表面には出なくなり、指股の見栄えをさらに良くすることができる。
【００１８】
また本発明によれば、甲側の筒状編地の付け根間の指股にも、引返し編成による襠を形成するので、動く範囲が広い指を収容する指袋などの前後を膨らませて、指が動きやすくすることができる。
【００１９】
また本発明によれば、指袋または胴部の編地のうちの少なくとも一つは、甲側の編目列の編目数を掌側の編目列の編目数よりも多くするので、手足の立体的な形状に合わせることができる。
【００２０】
また本発明によれば、手または足の形状にフィットして着用しやすい手袋または靴下を得ることができる。
【００２１】
さらに本発明によれば、指袋または胴部の編目を順次接合する伏目による襠は、掌側の
編目列の編目のみで形成するので、甲側にも形成する場合に比較して、編成処理の簡略化を図ることができる。掌側では、伏目による襠とともに、引返し編成による襠も編成するので、伏目による胴部の編目数の減少は抑制され、伸縮性にも優れ、手足の形状にフィットする指股付編地を得ることができる。
【００２２】
また本発明によれば、襠の伏目は、指股付編地の表側に出なくなり、指股の見栄えをさらに良くすることができる。
【発明を実施するための最良の形態】
【００２３】
図１は、本発明の実施の一形態である指股付編地として編成される手袋１の外観形状を簡略化して示す。手袋１は、左手用を示し、右手用を省略しているけれども、右手用は左右対称の形状を有するようにすればよい。
【００２４】
図１で、（ａ）は掌側、（ｂ）は甲側、（ｃ）は（ａ）を指先側から見た構成をそれぞれ示す。手袋１には、着用時に５本の指を収容する親指袋２ａ、人差指袋２ｂ、中指袋２ｃ、薬指袋２ｄおよび小指袋２ｅがそれぞれ設けられる。人差指袋２ｂ、中指袋２ｃおよび薬指袋２ｄは、相互に接合されて三本胴３に移行する。三本胴３と小指袋２ｅとは、相互に結合されて四本胴４に移行する。四本胴４と親指袋２ａとは、相互に接合されて５本胴等幅部５ａに移行する。五本胴等幅部５ａは、五本胴目減らし部５ｂを経て、口部６に至る。
【００２５】
各指股７ａ〜７ｄには、伏目による襠８ａ〜８ｄと引返し編成による襠９ａ〜９ｄがそれぞれ形成される。隣接する指袋、たとえば親指袋２ａと人差指袋２ｂとの間には、指股７ａが形成される。他の指袋間でも、指股７ｂ〜７ｄが形成される。各指股７ａ〜７ｄには、（ａ）に示すように、掌側のみに、伏目による襠８ａ〜８ｄがそれぞれ形成される。掌側では、伏目による襠８ａ〜８ｄに続いて、引返し編成による襠９ａ〜９ｄがそれぞれ形成される。（ｂ）には、襠が全く示されていないけれども、引返しによる襠９ａ〜９ｄと同様な襠を形成するようにしてもよい。
【００２６】
（ｃ）は、図では下方となる手袋１の甲側の編幅を上方となる掌側の編幅よりも大きくして、実際の手の形状に近づけている状態を示す。甲側と掌側とで編幅に差を設けて実際の手の形状に近づけることによって、手に手袋１を装着するときのフィット性に優れる指股付編地を得ることができる。
【００２７】
図２は、手袋１を編成する際に使用する編針の本数の例を、掌側について、［］で囲う数値で示す。甲側の本数は、重ね目以外では減らないけれども、掌側は伏目による襠の形成で減少する。横編機としては、たとえば１５ゲージ、すなわち２５．４ｍｍ（１インチ）当り１５本の編針が前後の針床にそれぞれ配置されるものを使用する。親指袋２ａ、人差指袋２ｂ、中指袋２ｃ、薬指袋２ｄ、小指袋２ｅ、三本胴３、四本胴４、五本胴等幅部５ａは、２９本、２４本、２５本、２３本、２１本、６０本、７５本、８４本の編針を、それぞれ使用する。手袋１のうち、掌側は前針床、甲側は後針床にそれぞれ属させる。ただし、編針の使用数や針床の割当てなどは、手袋１としての要求に合わせて変更することができるのは当然である。
【００２８】
図３および図４は、図２に示すような編針の使用を前提として、手袋１を編成する概略的な手順を示す。図３に示すステップ１では、人差指袋２ｂ、中指袋２ｃ、薬指袋２ｄを順次編成する。人差指袋２ｂ、中指袋２ｃおよび薬指袋２ｄは、前針床に属する掌側と後針床に属する甲側とを、編幅の両側で連結するように、編糸を周回するように給糸して筒状の編地としてそれぞれ編成する。３本の指袋の編成が終了すると、ステップ２に示すように、各指袋の甲側の編端の編目を重ねて、掌側のみ伏目することによって、図１に示す伏目による襠８ｂ，８ｃをそれぞれ形成する。甲側の編端の編目を重ねるのは、指股７ｂ，７ｃでの孔あきを防ぐためである。伏目によって、人差指袋２ｂと中指袋２ｃとの間の指股７ｂで３目ずつ、中指袋２ｃと薬指袋２ｄとの間の指股７ｃでも３目ずつ、合計１２目の編目が減る。ステップ３では、指股７ｂ，７ｃで、伏目による襠８ｂ，８ｃに続き、引返し編成による襠９ｂ，９ｃをそれぞれ形成する。以下、周回編成で、三本胴３を筒状に編成する。
【００２９】
ステップ４は、三本胴３とともに、小指袋２ｅをそれぞれ筒状に編成した状態を示す。ステップ５に示すように、小指袋２ｅと三本胴３とを、指股７ｄでの甲側の編端の重ね目に続く掌側の伏目による襠８ｄ形成により接合する。なおステップ４ａとして示すように、小指袋２ｅと三本胴３との接合の際に、三本胴３を回して、前後の針床で編成する編地の境界が重ね目する編端となるようにすれば、甲側と掌側との編幅の差をより大きくして、手に着用するときのフィット性をより良好にすることができる。
【００３０】
次に、ステップ６で示すように、伏目による襠８ｄに続く引返し編成による襠９ｄを形成し、四本胴４に移行する。三本胴３と小指袋２ｅとの間の伏目による襠８ｅ形成の際にも、編目が３目ずつ減少し、四本胴４では、三本胴３と小指袋２ｅの編幅の合計よりも、編幅が６目減少する。三本胴３を形成しないで、小指袋２ｅを、人差指袋２ｂ、中指袋２ｃおよび薬指袋２ｄと接合して、四本胴４を形成することもできる。ただし、三本胴３と小指袋２ｅとを分けて、指股７ｄの位置を指股７ｂ、７ｃよりも深い位置にする方が、手の形状に近く、フィット性を良くすることができることはもちろんである。
【００３１】
図４のステップ７で示すように、四本胴４と親指袋２ａをそれぞれ筒状に編成した後、ステップ８で示すように、指股７ａの甲側の編端での重ね目に続いて、掌側で伏目による襠８ａを形成する。ステップ７では、ステップ４ａで三本胴３を回したように、四本胴４を前後の針床で編成する境界が重ね目する編端となるように回すことによって、フィット性をより良好にすることができる。指股７ａでの伏目によって、四本胴４および親指袋２ａの掌側の編目を１０目ずつ減らす。すなわち、四本胴４と親指袋２ａの編幅の合計よりも、五本胴等幅部５ａでは編幅が２０目減少する。編幅の減少は、伏目による襠８ａでの厚みの増加となり、親指周辺のフィット性を向上させることができる。ステップ９では、指股７ａで、伏目による襠８ａに続く引返し編成による襠９ａを形成する。ステップ１０では、周回編成で、五本胴等幅部５ａを筒状に形成する。以下、親指の掌側で目減らししながら五本胴目減らし部５ｂを編成し、立体的な掌の形状にフィットさせて、図１に示す口部６を編成する。
【００３２】
図５は、以上で説明した手袋１での指股の形成状態を模式的に示す。（ａ）は、２つの指袋２Ａ，２Ｂをそれぞれ筒状に編成した状態を示す。（ｂ）は、指袋２Ａ，２Ｂの甲側で隣接する編端の編目を重ねて、重ね目１０を形成し、掌側のみ伏目をしている状態を示す。（ｃ）は、伏目による襠８が形成された後、さらに引返しによる襠９を形成している状態を示す。（ｄ）は、比較例として、指股７を、伏目による襠８のみで形成する状態を示す。（ｃ）に示す胴部１１ｃの編幅Ｌｃは、（ｄ）に示す胴部１１ｄの編幅Ｌｄよりも大きくなる。（ｄ）では、幅方向が狭くなり、胴部１１ｄの編幅が不足するおそれがある。
【００３３】
図６は、指股７ａ〜７ｄに形成する伏目による襠８ａ〜８ｄで、伏目が内側となるように編成する手法を示す。説明の便宜上、図５と同様に、隣接する２本の指袋２Ａ，２Ｂ間で指股７に伏目による襠８を形成する場合について説明する。（ａ）は、甲側の編端を重ねて重ね目１０を形成した状態、（ｂ）は伏目による襠８を形成した状態を、前後の針床が対向する歯口側から見た状態として示す。（ａ）に示すように、（ｂ）で襠８を形成するために重ねられる掌側の編目の範囲８ａ，８ｂは、重ね目１０を通る直線１０ａに関して対称となる。図では説明の便宜上、編目範囲８ａ，８ｂをピッチの異なる破線で示すけれども、編目のピッチは同等である。
【００３４】
図６（ｃ）は、伏目による襠８が形成されて接合された指袋２Ａ，２Ｂの筒状編地としての形状を示す。編成された指袋２Ａ，２Ｂは歯口の下方に垂れ下がり、伏目による襠８の周囲には、指袋２Ａ，２Ｂを接合した胴部が筒状に編成されることになる。胴部が編成されれば、伏目による襠８は、筒状の編地の内部に隠れ、表面からは見えなくなる。
【００３５】
図７は、図６（ｃ）の伏目による襠８の部分の編目形状を概略的に示す。伏目による襠８では、指袋２Ａ，２Ｂの掌側の編目範囲８ｂの編目に編目範囲８ｂの編目を重ねた重ね目をそれぞれニットして、そのニット目１２に対して、伏目１３を形成している。まず指袋２Ａの掌側の編目範囲８ａの編目に指袋２Ｂの編目範囲８ｂの編目を、境界となる図６の重ね目１０側の端部１目ずつ順に重ねて、重ね目が形成される。１つの重ね目を新たに形成すると、その重ね目に対するニットで新たなニット目１２が形成される。ニット目１２に対しては、さらにニットで伏目処理を行うための編目が形成される。このように、編目範囲８ａ，８ｂの編目を重ねた重ね目を１つ形成する毎に、２段のニットの編目を付加する。ただし、新たな重ね目に対する２段目のニットの編目は、直前に形成した重ね目に対する２段目のニットの編目を、新たな重ね目に対して形成する１段目のニット目１２に対して重ねて伏目１３を形成する処理の後で行う。１段目のニット目１２に対する２段目として形成する伏目１３のラインは筒状編地の内側の奥に形成され、表に出ないようにすることができる。
【００３６】
図８は、手袋１を実際に編成したサンプルでの指股７ａ付近の編目を示す。ただし、手袋１は右手用である。伏目による襠８ａは外側には出ないで、内側に隠れている。伏目による襠８ａに続いて、引返し編成による襠９ａが三角形に近い形状で形成されている。
【００３７】
図９は、本発明の実施の他の形態である指股付編地として編成される靴下２１の掌側である足裏先端付近の部分的な構成を示す。靴下２１は、特許文献２の図１に示す靴下と同様に、第１指、第２指、第３指、第４指および第５指をそれぞれ収容する第１指袋２２ａ、第２指袋２２ｂ、第３指袋２２ｃ、第４指袋２２ｄおよび第５指袋２２ｅを有する。第１指袋２２ａと第２指袋２２ｂとを接合して二本胴２３ａが形成される。二本胴２３ａと第３指袋２２ｃとを接合して三本胴２３ｂが形成される。三本胴２３ｂと第４指袋２２ｄとを接合して四本胴２３ｃが形成される。四本胴２３ｃと第５指袋２２ｅとを接合して五本胴２３ｄが形成される。
【００３８】
第１指袋２２ａと第２指袋２２ｂとの接合部には、指股２４ａが形成される。二本胴２３ａと第３指袋２２ｃとの接合部には、指股２４ｂが形成される。三本胴２３ｂと第４指袋２２ｄとの接合部には、指股２４ｃが形成される。四本胴２３ｃと第５指袋２２ｅとの接合部には、指股２４ｄが形成される。各指股２４ａ，２４ｂ，２４ｃ，２４ｄには、伏目による襠２５ａ，２５ｂ，２５ｃ，２５ｄが足裏側のみにそれぞれ形成される。また、伏目による襠２５ａ，２５ｂ，２５ｃ，２５ｄに続いて、引返し編成による襠２６ａ，２６ｂ，２６ｃ，２６ｄがそれぞれ編成される。これらの指股２４ａ〜２４ｄは、図１の指股７ａ〜７ｄと同樣に編成し、同様に機能させることができる。なお、二本胴２３ａや三本胴２３ｂは分けて設けずに、少なくとも四本胴２３ｃを設けるようにすればよい。
【００３９】
図１に示す手袋１では、たとえば親指袋２ａと人差指袋２ｂとの間の指股７ａの掌側に、伏目による襠８ａとともに、引返し編成による襠９ａを形成するので、指股７ａ全体を伏目による襠８ａとして形成する場合よりも、掌側での編目の消費を少なくし、編幅の減少を抑制することができる。他の指股７ａ，７ｂ，７ｃ，７ｄや図９に示す靴下２１の指袋２４ａ，２４ｂ，２４ｃ，２４ｄも同様である。指股の襠を大きくして指股付編地としての厚みを増しても、筒状編地としての編幅の減少を抑制することができるので、手や足に装着する際のフィット性を向上させることができる。
【図面の簡単な説明】
【００４０】
【図１】本発明の実施の一形態である指股付編地として編成される手袋１の外観形状を簡略化して示す平面図、背面図および側面図である。
【図２】図１の手袋１を編成する際に使用する編針の本数の例を示す図である。
【図３】図２に示すような編針の使用を前提として、手袋１を編成する概略的な手順を示す図である。
【図４】図３に続いて、手袋１を編成する概略的な手順を示す図である。
【図５】図１の手袋１での指股の形成状態を模式的に示す図である。
【図６】図５の指股７に形成する伏目による襠８で、伏目が内側となるように編成する手法を概略的に示す図である。
【図７】図６の伏目による襠８の編目形状を概略的に示す図である。
【図８】図１の手袋１を実際に編成したサンプルでの指股７ａ付近の編目を示す写真画像である。
【図９】本発明の実施の他の形態である指股付編地として編成される靴下２１の足裏先端付近の部分的な構成を示す図である。
【符号の説明】
【００４１】
１  手袋
２Ａ，２Ｂ  指袋
２ａ  親指袋
２ｂ  人差指袋
２ｃ  中指袋
２ｄ  薬指袋
２ｅ  小指袋
３，２３ｂ  三本胴
４，２３ｃ  四本胴
５ａ  五本胴等幅部
７，７ａ，７ｂ，７ｃ，７ｄ，２４ａ，２４ｂ，２４ｃ，２４ｄ  指股
８，８ａ，８ｂ，８ｃ，８ｄ，２５ａ，２５ｂ，２５ｃ，２５ｄ  伏目による襠
９ａ，９ｂ，９ｃ，９ｄ，２６ａ，２６ｂ，２６ｃ，２６ｄ  引返し編成による襠
１０  重ね目
１２  ニット目
１３  伏目
２１  靴下
【図１】
2008115475.tif 000003
【図２】
2008115475.tif 000004
【図３】
2008115475.tif 000005
【図４】
2008115475.tif 000006
【図５】
2008115475.tif 000007
【図６】
2008115475.tif 000008
【図７】
2008115475.tif 000009
【図８】
2008115475.tif 000010
【図９】
2008115475.tif 000011